(57)【特許請求の範囲】
【請求項１】
複数の画素の各々に対応して画素電極が設けられた第１基板と、コモン電極が設けられた第２基板とで液晶を挟持し、前記画素電極、前記液晶および前記コモン電極とで液晶素子が構成された液晶パネルに対し、
前記画素毎に液晶素子の印加電圧を指定する映像信号を入力するとともに、処理した映像信号に基づいて前記液晶素子の印加電圧をそれぞれ規定する映像処理回路であって、
入力した映像信号で指定される印加電圧が第１電圧を下回る第１画素と、前記印加電圧が前記第１電圧よりも大きい第２電圧を上回る第２画素との境界の一部であって、前記液晶のチルト方位で定まるリスク境界を検出する境界検出部と、
前記リスク境界に接する第１画素に対して前記映像信号で指定される印加電圧が前記第１電圧よりも低い第３電圧を下回る場合、当該第１画素に対応する液晶素子への印加電圧を、前記入力した映像信号で指定される印加電圧から予め定められた電圧に置換する置換部と、
を備えることを特徴とする映像処理回路。
【請求項２】
前記チルト方位は、前記画素電極の側から前記コモン電極に向かって平面視したときに、前記画素電極側における液晶分子の長軸の一端から、前記液晶分子の他端に向かう方向である
ことを特徴とする請求項１に記載の映像処理回路。
【請求項３】
前記予め定められた電圧は、前記第３電圧である
ことを特徴とする請求項２に記載の映像処理回路。
【請求項４】
前記境界検出部は、
入力した映像信号と、当該入力した映像信号を１画素分遅延した信号との比較によって前記境界を検出する
ことを特徴とする請求項３に記載の映像処理回路。
【請求項５】
前記置換部は、
前記リスク境界に接する第１画素に対して前記リスク境界の反対側で隣接し、当該リスク境界とは反対方向に向かって連続する１以上の画素について、当該画素の映像信号で指定される印加電圧が前記第３電圧を下回る場合に、当該画素に対応する液晶素子への印加電圧を、前記映像信号で指定される印加電圧から前記第３電圧に置換する
ことを特徴とする請求項３または４に記載の映像処理回路。
【請求項６】
前記液晶パネルの表示を更新する時間間隔をＳとし、
印加電圧が前記第３電圧を下回る電圧から前記第３電圧に切り替わったときの前記液晶素子の応答時間をＴとした場合に、
Ｓ＜Ｔであるとき、
前記リスク境界に接する第１画素に対して前記リスク境界の反対側で隣接し、当該リスク境界とは反対方向に向かって連続する１以上の画素数は、
前記応答時間Ｔを前記時間間隔Ｓで割った値の整数部の値である
ことを特徴とする請求項５に記載の映像処理回路。
【請求項７】
前記第３電圧は、液晶素子に初期傾斜角を与える程度の電圧である
ことを特徴とする請求項３に記載の映像処理回路。
【請求項８】
前記第３電圧は、およそ１．５ボルトである
ことを特徴とする請求項７に記載の映像処理回路。
【請求項９】
第１基板に形成された画素電極と第２基板に形成されたコモン電極とで液晶を挟持した液晶素子を画素毎に有する電気光学装置に対し、前記画素毎に液晶素子の印加電圧を指定する映像信号を入力するとともに、処理した映像信号に基づいて前記液晶素子の印加電圧をそれぞれ規定する映像処理方法であって、
入力した映像信号で指定される印加電圧が第１電圧を下回る第１画素と、前記印加電圧が前記第１電圧よりも大きい第２電圧を上回る第２画素との境界の一部であって、前記液晶のチルト方位で定まるリスク境界を検出し、
前記リスク境界に接する第１画素に対して前記映像信号で指定される印加電圧が前記第１電圧よりも低い第３電圧を下回る場合、当該第１画素に対応する液晶素子への印加電圧を、前記入力した映像信号で指定される印加電圧から予め定められた電圧に置換する
ことを特徴とする映像処理方法。
【請求項１０】
複数の画素の各々に対応して画素電極が設けられた第１基板と、コモン電極が設けられた第２基板とで液晶を挟持し、前記画素電極、前記液晶および前記コモン電極とで液晶素子が構成された液晶パネルと、
画素毎に前記液晶素子の印加電圧を指定する映像信号を入力するとともに、処理した映像信号に基づいて前記液晶素子の印加電圧をそれぞれ規定する映像処理回路とを、有し、
前記映像処理回路は、
入力した映像信号で指定される印加電圧が第１電圧を下回る第１画素と、前記印加電圧が前記第１電圧よりも大きい第２電圧を上回る第２画素との境界の一部であって、前記液晶のチルト方位で定まるリスク境界を検出する境界検出部と、
前記リスク境界に接する第１画素に対して前記映像信号で指定される印加電圧が前記第１電圧よりも低い第３電圧を下回る場合、当該第１画素に対応する液晶素子への印加電圧を、前記入力した映像信号で指定される印加電圧から予め定められた電圧に置換する置換部と、
を備えることを特徴とする液晶表示装置。
【請求項１１】
請求項１０に記載された液晶表示装置を有することを特徴とする電子機器。
【発明の詳細な説明】
【技術分野】
【０００１】
本発明は、液晶パネルにおける表示上の不具合を低減する技術に関する。
【背景技術】
【０００２】
液晶パネルは、一定の間隙に保たれた一対の基板によって液晶を挟持した構成である。詳細には、液晶パネルでは、画素毎に画素電極がマトリクス状に配列した第１基板と、コモン電極が各画素にわたって共通となるように設けられた第２基板とで液晶が挟持されて、画素電極と液晶とコモン電極とによって液晶素子が構成される。液晶素子において、画素電極とコモン電極との間で階調レベルに応じた電圧を印加・保持させると、液晶の配向状態が画素毎に規定され、これにより、透過率または反射率が制御される。したがって、上記構成では、液晶分子に作用する電界のうち、画素電極からコモン電極に向かう方向（またはその反対方向）、すなわち、基板面に対して垂直方向（縦方向）の成分だけが、表示制御に寄与する、ということができる。
【０００３】
ところで、近年のように小型化、高精細化のために画素ピッチが狭くなると、互いに隣接する画素電極同士で生じる電界、すなわち基板面に対して平行方向の横電界が生じて、その影響が無視できなくなりつつある。例えばＶＡ（Vertical Alignment）方式や、ＴＮ（Twisted Nematic）方式などのように縦方向の電界により駆動されるべき液晶に対して、横電界が加わると、液晶の配向不良（リバースチルト）が発生し、表示上の不具合が発生してしまう、という問題が生じた。
このため、例えば映像信号を画像解析して、リバースチルトが発生しやすい画像を識別するとともに、当該画像が識別されたときには、設定値以上の映像信号を一律にクリップして液晶素子の印加電圧を調整する技術（例えば特許文献１参照）が提案されている。
【先行技術文献】
【特許文献】
【０００４】
【特許文献１】特開２００９−６９６０８号公報（図２）
【発明の概要】
【発明が解決しようとする課題】
【０００５】
しかしながら、上記技術では、映像信号をフレーム毎に解析する必要があるので、映像処理回路の大規模化や複雑化を招きやすい。
本発明は、上述した事情に鑑みてなされたもので、その目的の一つは、映像処理回路の大規模化や複雑化などを抑えつつ、リバースチルトドメインに起因する表示上の不具合の発生を低減させる技術を提供することにある。
【課題を解決するための手段】
【０００６】
上記目的を達成するために、本発明に係る映像処理回路にあっては、複数の画素の各々に対応して画素電極が設けられた第１基板と、コモン電極が設けられた第２基板とで液晶を挟持し、前記画素電極、前記液晶および前記コモン電極とで液晶素子が構成された液晶パネルに対し、前記画素毎に液晶素子の印加電圧を指定する映像信号を入力するとともに、処理した映像信号に基づいて前記液晶素子の印加電圧をそれぞれ規定する映像処理回路であって、入力した映像信号で指定される印加電圧が第１電圧を下回る第１画素と、前記印加電圧が前記第１電圧よりも大きい第２電圧を上回る第２画素との境界の一部であって、前記液晶のチルト方位で定まるリスク境界を検出する境界検出部と、前記リスク境界に接する第１画素に対して前記映像信号で指定される印加電圧が前記第１電圧よりも低い第３電圧を下回る場合、当該第１画素に対応する液晶素子への印加電圧を、前記入力した映像信号で指定される印加電圧から予め定められた電圧に置換する置換部と、を備えることを特徴とする。本発明によれば、１フレーム分の画像全体ではなく、画素同士における境界およびリスク境界を検出するための処理だけで済むので、２フレーム分以上の画像を解析して動きを検出する構成と比較して、映像処理回路の大規模化や複雑化を抑える可能となる。
【０００７】
本発明において、前記チルト方位は、前記画素電極の側から前記コモン電極に向かって平面視したときに、前記画素電極側における液晶分子の長軸の一端から、前記液晶分子の他端に向かう方向である構成が好ましい。リバースチルトドメインは、画素電極同士で発生する横電界に起因するためである。
さらに、本発明において、前記予め定められた電圧として、どのような値とすべきかについては、優先事項によって決定すべきであるが、置換による透過率（反射率）の変化が知覚されないようにする、という点を優先させると、第３電圧が好ましい。
本発明において、前記境界検出部は、入力した映像信号と、当該入力した映像信号を１画素分遅延した信号との比較によって前記境界を検出する構成としても良い。このように構成すると、さらに構成の簡易化を図ることが可能となる。
本発明において、前記置換部は、前記リスク境界に接する第１画素に対して前記リスク境界の反対側で隣接し、当該リスク境界とは反対方向に向かって連続する１以上の画素について、当該画素の映像信号で指定される印加電圧が前記第３電圧を下回る場合に、当該画素に対応する液晶素子への印加電圧を、前記映像信号で指定される印加電圧から前記第３電圧に置換する構成としても良い。この構成によれば、液晶素子の応答時間が、表示画面が更新される時間間隔より長い場合でも、リバースチルトドメインの発生を抑えることが可能となる。
具体的には、前記液晶パネルの表示を更新する時間間隔をＳとし、印加電圧が前記第３電圧を下回る電圧から前記第３電圧に切り替わったときの前記液晶素子の応答時間をＴとした場合に、Ｓ＜Ｔであるとき、前記リスク境界に接する第１画素に対して前記リスク境界の反対側で隣接し、当該リスク境界とは反対方向に向かって連続する１以上の画素数は、前記応答時間Ｔを前記時間間隔Ｓで割った値の整数部の値とすれば良い。このような値にすると、映像信号Ｖid-inで指定される階調レベルを不必要に置換してしまうこともないし、液晶分子が不安定な状態が次の更新（書換）でも継続してしまうことを抑えることが可能となる。
本発明において、前記第３電圧は、液晶素子に初期傾斜角を与える程度の電圧であり、好ましくは、およそ１．５ボルトである。
なお、本発明は、映像処理回路のほか、映像処理方法、液晶表示装置および当該液晶表示装置を含む電子機器としても概念することが可能である。
【図面の簡単な説明】
【０００８】
【図１】第１実施形態に係る映像処理回路を適用した液晶表示装置を示す図である。
【図２】同液晶表示装置における液晶素子の等価回路を示す図である。
【図３】同映像処理回路の構成を示す図である。
【図４】同液晶表示装置を構成する液晶パネルのＶ−Ｔ特性を示す図である。
【図５】同液晶パネルにおける表示動作を示す図である。
【図６】同液晶パネルにおいてＶＡ方式としたときの初期配向の説明図である。
【図７】同液晶パネルにおける画像の動きを説明するための図である。
【図８】同液晶パネルにおいて発生するリバースチルトの説明図である。
【図９】同液晶パネルにおける画像の動きを説明するための図である。
【図１０】同液晶パネルにおいて発生するリバースチルトの説明図である。
【図１１】同映像処理回路における置換処理を示す図である。
【図１２】同映像処理回路によるリバースチルトの抑制を示す図である。
【図１３】同液晶パネルにおいて他のチルト方位角としたときの図である。
【図１４】他のチルト方位角としたときの置換処理を示す図である。
【図１５】同液晶パネルにおいて他のチルト方位角としたときの図である。
【図１６】他のチルト方位角としたときの置換処理を示す図である。
【図１７】同液晶パネルにおいてＴＮ方式としたときの初期配向の説明図である。
【図１８】同液晶パネルにおいて発生するリバースチルトの説明図である。
【図１９】同液晶パネルにおいて発生するリバースチルトの説明図である。
【図２０】同映像処理回路の変形応用例に係る要部構成を示す図である。
【図２１】同映像処理回路の変形応用例に係る置換処理を示す図である。
【図２２】同映像処理回路の変形応用例に係る置換処理を示す図である。
【図２３】動き方向を水平方向としたときのリバースチルトの抑制を示す図である。
【図２４】動き方向を水平方向としたときの置換処理を示す図である。
【図２５】動き方向を水平方向としたときの置換処理を示す図である。
【図２６】動き方向を水平方向としたときの置換処理を示す図である。
【図２７】液晶表示装置を適用したプロジェクターを示す図である。
【図２８】横電界の影響による表示上の不具合等を示す図である。
【発明を実施するための形態】
【０００９】
＜実施形態＞
以下、本発明の実施形態について図面を参照して説明する。
図１は、本実施形態に係る映像処理回路を適用した液晶表示装置の全体構成を示すブロック図である。
この図に示されるように、液晶表示装置１は、制御回路１０と、液晶パネル１００と、走査線駆動回路１３０と、データ線駆動回路１４０とを有する。
このうち、制御回路１０には、上位装置から映像信号Ｖid-inが同期信号Ｓyncに同期して供給される。映像信号Ｖid-inは、液晶パネル１００における各画素の階調レベルをそれぞれ指定するデジタルデータであり、同期信号Ｓyncに含まれる垂直走査信号、水平走査信号およびドットクロック信号（いずれも図示省略）にしたがった走査の順番で供給される。
なお、映像信号Ｖid-inは階調レベルを指定するが、階調レベルに応じて液晶素子の印加電圧が定まるので、映像信号Ｖid-inは液晶素子の印加電圧を指定するものといって差し支えない。
【００１０】
制御回路１０は、走査制御回路２０と映像処理回路３０とにより構成される。このうち、走査制御回路２０は、各種の制御信号を生成するとともに、同期信号Ｓyncに同期して各部を制御する。映像処理回路３０は、詳細については後述するが、デジタルの映像信号Ｖid-inを処理して、アナログのデータ信号Ｖxを出力するものである。
【００１１】
液晶パネル１００は、素子基板（第１基板）１００ａと対向基板（第２基板）１００ｂとが一定の間隙を保って貼り合わせられるとともに、この間隙に、縦方向の電界で駆動される液晶１０５が挟持された構成となっている。
素子基板１００ａのうち、対向基板１００ｂとの対向面には、図において水平（Ｘ）方向に沿って複数ｍ行の走査線１１２が設けられ、垂直（Ｙ）方向に沿って複数ｎ列のデータ線１１４が設けられている。各走査線１１２と各データ線１１４は、互いに電気的に絶縁を保つように設けられている。
なお、本実施形態では、走査線１１２を区別するために、図において上から順に１、２、３、…、（ｍ−１）、ｍ行目という呼び方をする場合がある。同様に、データ線１１４を区別するために、図において左から順に１、２、３、…、（ｎ−１）、ｎ列目という呼び方をする場合がある。
【００１２】
素子基板１００ａでは、さらに、走査線１１２とデータ線１１４との交差のそれぞれに対応して、ｎチャネル型のＴＦＴ１１６と矩形形状で透明性を有する画素電極１１８との組が設けられている。ＴＦＴ１１６のゲート電極は走査線１１２に接続され、ソース電極がデータ線１１４に接続され、ドレイン電極が画素電極１１８に接続されている。
一方、対向基板１００ｂのうち、素子基板１００ａとの対向面には、透明性を有するコモン電極１０８が全面にわたって設けられる。そして、コモン電極１０８には、図示省略した回路によって電圧ＬＣcomが印加される。
なお、図１において、素子基板１００ａの対向面は紙面裏側であるので、当該対向面に設けられる走査線１１２、データ線１１４、ＴＦＴ１１６および画素電極１１８については、破線で示すべきであるが、見難くなるので、それぞれ実線で示している。
【００１３】
液晶パネル１００における等価回路は、図２に示される通りとなり、走査線１１２とデータ線１１４との交差に対応して、画素電極１１８とコモン電極１０８とで液晶１０５を挟持した液晶素子１２０が配列した構成となる。
また、図１では省略したが、液晶パネル１００における等価回路では、実際には図２に示されるように、液晶素子１２０に対して並列に補助容量（蓄積容量）１２５が設けられる。この補助容量１２５は、一端が画素電極１１８に接続され、他端が容量線１１５に共通接続されている。容量線１１５は時間的に一定の電圧に保たれている。
このような構成において、走査線１１２がＨレベルになると、当該走査線にゲート電極が接続されたＴＦＴ１１６がオン状態になり、画素電極１１８がデータ線１１４に接続される。このため、走査線１１２がＨレベルであるときに、データ線１１４に対し、階調に応じた電圧のデータ信号を供給すると、当該データ信号は、オンしたＴＦＴ１１６を介して画素電極１１８に印加される。走査線１１２がＬレベルになると、ＴＦＴ１１６はオフ状態になるが、画素電極に印加された電圧は、液晶素子１２０の容量性および補助容量１２５によって保持される。
周知のように、液晶素子１２０では、画素電極１１８およびコモン電極１０８によって生じる電界に応じて液晶１０５の配向状態が変化するので、液晶素子１２０は、透過型であれば、印加・保持電圧に応じた透過率となる。
液晶パネル１００では、液晶素子１２０毎に透過率が変化するので、液晶素子１２０が画素に相当する。そして、この画素の配列領域が表示領域１０１となる。なお、本実施形態において、液晶１０５をＶＡ方式として、液晶素子１２０の透過率が電圧無印加時において最低の黒状態となるノーマリーブラックモードとする。
【００１４】
走査線駆動回路１３０は、走査制御回路２０による制御信号Ｙctrにしたがって、フレームにわたって１、２、３、…、ｍ行目の走査線１１２に、走査信号Ｙ1、Ｙ2、Ｙ3、…、Ｙmを供給する。詳細には、走査線駆動回路１３０は、図５（ａ）に示されるように、走査線１１２を１、２、３、…、ｍ行目という順番で選択する。また、走査線駆動回路１３０は、選択した走査線への走査信号を選択電圧ＶＨ（Ｈレベル）とし、それ以外の走査線への走査信号を非選択電圧ＶＬ（Ｌレベル）とする。
なお、フレームとは、１コマ分の映像信号Ｖid-inが供給される周期をいい、同期信号Ｓyncに含まれる垂直走査信号の周波数が６０Ｈｚであれば、その逆数である１６．７ミリ秒である。本実施形態では、フレームにわたって１、２、３、…、ｍ行目の走査線１１２が順番に選択されるので、液晶パネル１００は、映像信号Ｖid-inと等倍速で駆動される。このため、本実施形態では、液晶パネル１００によって１コマ分の画像を表示させるのに要する期間は、フレームと一致する。
【００１５】
データ線駆動回路１４０は、映像処理回路３０から供給されるデータ信号Ｖxを、走査制御回路２０による制御信号Ｘctrにしたがって１〜ｎ列目のデータ線１１４にデータ信号Ｘ1〜Ｘnとしてサンプリングする。
なお、本説明では、電圧について、液晶素子１２０の印加電圧を除き、特に明記しない限り図示省略した接地電位を電圧ゼロの基準とする。液晶素子１２０の印加電圧は、コモン電極１０８の電圧ＬＣcomと画素電極１１８との電位差であり、他の電圧と区別するためである。
また、直流成分の印加による液晶１０５の劣化を防止するために、液晶素子１２０については交流駆動が実行される。詳細には、画素電極１１８には、振幅中心である電圧Ｖcntに対して高位側の正極性電圧と低位側の負極性電圧とに例えばフレーム毎に交互に切り替えられて印加される。このような交流駆動において、本実施形態では、同一フレーム内において各液晶素子１２０の書き込み極性をすべての同一とする面反転方式としている。なお、コモン電極１０８に印加される電圧ＬＣcomは、電圧Ｖcntとほぼ同電圧と考えてよいが、ｎチャネル型のＴＦＴ１１６のオフリークや、いわゆるプッシュダウンなどを考慮して、電圧Ｖcntよりも低位となるように調整されることがある。
【００１６】
さて、本実施形態において、液晶素子１２０の印加電圧と透過率との関係は、ノーマリーブラックモードであれば、図４（ａ）に示されるようなＶ（電圧）−Ｔ（透過率）特性で表される。このため、液晶素子１２０を、映像信号Ｖid-inで指定された階調レベルに応じた透過率とさせるには、当該階調レベルに応じた電圧を、当該液晶素子に印加すれば良いはずである。
しかしながら、液晶素子１２０の印加電圧を、映像信号Ｖid- inで指定される階調レベルに応じて単に規定するだけでは、リバースチルトドメインに起因する表示上の不具合が発生してしまう場合がある。
【００１７】
リバースチルトドメインに起因する表示上の不具合の例について説明する。例えば図２８に示されるように、映像信号Ｖid-inで示される画像が、白画素を背景として黒画素が連続する黒パターンがフレーム毎に１画素ずつ右方向に移動する場合に、その黒パターンの左端縁部（動きの後縁部）において黒画素から白画素に変化すべき画素がリバースチルトドメインの発生によって白画素にならない、という一種の尾引き現象として顕在化する。
なお、本実施形態のように、液晶パネル１００が、映像信号Ｖid-inの供給速度と等倍速で駆動される場合に、白画素を背景とした黒画素の領域がフレーム毎に２画素以上ずつ移動するとき、後述するように液晶素子の応答時間が、表示画面が更新される時間間隔より短ければ、このような尾引き現象は顕在化しない（または、視認されにくい）。この理由は、次のように考えられる。すなわち、あるフレームにおいて、白画素と黒画素とが隣接したときに、その白画素でリバースチルトドメインが発生するかもしれないが、画像の動きを考えると、リバースチルトドメインが発生する画素が離散的となるので、視覚的に目立たない、と考えられるからである。
なお、図２８において見方を変えると、黒画素を背景として白画素が連続する白パターンがフレーム毎に１画素ずつ右方向に移動する場合に、その白パターンの右端縁部（動きの先端部）において黒画素から白画素に変化すべき画素がリバースチルトドメインの発生によって白画素にならない、ということもできる。
また、同図においては、説明の便宜上、画像のうち、１ラインの境界付近を抜き出している。
【００１８】
リバースチルトドメインに起因する表示上の不具合は、液晶素子１２０において挟持された液晶分子が不安定な状態から、画像の動きによって印加電圧に応じた配向状態へと変化するときに、横電界の影響によって液晶分子の配向が乱れて、以後、印加電圧に応じた配向状態になりにくくなることが原因の１つとして考えられている。
ここで、横電界の影響を受ける場合とは、互いに隣り合う画素電極同士の電位差が大きくなる場合であり、これは、表示しようとする画像において黒レベルの（または黒レベルに近い）暗画素と、白レベルの（または白レベルに近い）明画素と、が隣接する場合である。
このうち、暗画素については、印加電圧がノーマリーブラックモードにおける黒レベルの電圧Ｖbk以上であって閾値Ｖth1（第１電圧）を下回る電圧範囲Ａにある液晶素子１２０の画素をいうことにする。また、便宜的に、液晶素子の印加電圧が電圧範囲Ａにある液晶素子の透過率範囲（階調範囲）を「ａ」とする。
次に、明画素については、印加電圧が閾値Ｖth2（第２電圧）以上であってノーマリーブラックモードにおける白レベル電圧Ｖwt以下の電圧範囲Ｂにある液晶素子１２０とする。便宜的に、液晶素子の印加電圧が電圧範囲Ｂにある液晶素子の透過率範囲（階調範囲）を「ｂ」とする。
なお、ノーマリーブラックモードにおいて、閾値Ｖth1は、液晶素子の相対透過率を１０％とさせる光学的閾値電圧であり、閾値Ｖth2は、液晶素子の相対透過率を９０％とさせる光学的飽和電圧と考えてよい場合がある。
【００１９】
一方、液晶分子が不安定な状態であるときとは、液晶素子の印加電圧がＶc（第３電圧）を下回るときである。液晶素子の印加電圧がＶcを下回るときでは、その印加電圧による縦電界の規制力が配向膜による規制力と比較して弱いので、液晶分子の配向状態は、わずかな外的要因によって乱れやすい。また、その後、印加電圧がＶc以上になったときに、当該印加電圧に応じて液晶分子が傾斜しようとしても、応答に時間がかかりやすいためである。逆にいえば、印加電圧がＶc以上であれば、液晶分子が印加電圧に応じて傾斜し始める（透過率が変化し始める）ので、液晶分子の配向状態は安定状態にある、ということができる。このため、電圧Ｖcは、透過率で規定した閾値Ｖth1よりも低い関係にある。
【００２０】
このように考えた場合に、変化前において液晶分子が不安定な状態にあった画素は、画像の動きによって暗画素と明画素とが隣接することになったときの横電界の影響によってリバースチルトドメインが発生しやすい状況にあるということができる。ただし、液晶分子の初期配向状態を考慮して検討すると、暗画素と明画素との位置関係によってリバースチルトドメインが発生する場合と発生しない場合とがある。
そこで次に、これらの場合をそれぞれ検討する。
【００２１】
図６（ａ）は、液晶パネル１００において互いに縦方向および横方向に隣接する２×２の画素を示す図であり、図６（ｂ）は、液晶パネル１００を、図６（ａ）におけるｐ−ｑ線を含む垂直面で破断したときの簡易断面図である。
これらの図に示されるように、ＶＡ方式の液晶分子は、画素電極１１８とコモン電極１０８との電位差（液晶素子の印加電圧）がゼロである状態において、チルト角がθaで、チルト方位角がθb（＝４５度）で、初期配向しているものとする。
ここで、リバースチルトドメインは、上述したように画素電極１１８同士の横電界に起因して発生することから、画素電極１１８が設けられた素子基板１００ａの側における液晶分子の振る舞いが問題となる。このため、液晶分子のチルト方位角およびチルト角については、画素電極１１８（素子基板１００ａ）の側を基準にして規定する。
詳細には、チルト角θaとは、図６（ｂ）に示されるように、基板法線Ｓvを基準にして、液晶分子の長軸Ｓaのうち、画素電極１１８側の一端を固定点としてコモン電極１０８側の他端が傾斜したときに、液晶分子の長軸Ｓaがなす角度とする。
一方、チルト方位角θbとは、データ線１１４の配列方向であるＹ方向に沿った基板垂直面を基準にして、液晶分子の長軸Ｓaおよび基板法線Ｓvを含む基板垂直面（ｐ−ｑ線を含む垂直面）がなす角度とする。なお、チルト方位角θbについては、画素電極１１８の側からコモン電極１０８に向けて平面視したときに、画面上方向（Ｙ方向の反対方向）から、液晶分子の長軸の一端を始点として他端に向かう方向（図６（ａ）では右上方向）までを、時計回りで規定した角度とする。
また、同様に画素電極１１８の側から平面視したときに、液晶分子における画素電極側の一端から他端に向かう方向を便宜的にチルト方位の下流側と呼び、反対に他端から一端に向かう方向（図６（ａ）では左下方向）を便宜的にチルト方位の上流側と呼ぶことにする。
【００２２】
このような初期配向となる液晶１０５を用いた液晶パネル１００において、例えば図７（ａ）に示されるように、破線で囲まれた２×２の４画素に着目する。図７（ａ）では、白レベルの画素（白画素）からなる領域を背景として黒レベルの画素（黒画素）からなるパターンが右上方向にフレーム毎に１画素ずつ移動する場合を示している。
すなわち、図８（ａ）に示されるように、（ｎ−１）フレームにおいて２×２の４画素がすべて黒画素の状態から、ｎフレームにおいて、左下の１画素だけが白画素に変化するときを想定する。上述したようにノーマリーブラックモードにおいて、画素電極１１８とコモン電極１０８との電位差である印加電圧は、黒画素よりも白画素で大きい。このため、黒から白に変化する左下の画素では、図８（ｂ）のように、液晶分子が実線で示される状態から破線で示される状態に、電界方向とは垂直方向（基板面の水平方向）に傾斜しようとする。
しかしながら、白画素の画素電極１１８（Ｗt）と黒画素の画素電極１１８（Ｂk）との間隙で生じる電位差は、白画素の画素電極１１８（Ｗt）とコモン電極１０８との間で生じる電位差と同程度である上に、画素電極同士の間隙が画素電極１１８とコモン電極１０８との間隙よりも狭い。従って、電界の強度で比較すると、画素電極１１８（Ｗt）と画素電極１１８（Ｂk）との間隙で生じる横電界は、画素電極１１８（Ｗt）とコモン電極１０８との間隙で生じる縦電界よりも強い。
左下の画素は、（ｎ−１）フレームにおいて液晶分子が不安定な状態の黒画素であっため、液晶分子が縦電界の強度に応じて傾斜するまでに時間がかかる。一方、白レベルの電圧が画素電極１１８（Ｗt）に印加されたことによる縦電界よりも、隣接する画素電極１１８（Ｂk）からの横電界の方が強い。従って、白になろうとしている画素では、図８（ｂ）に示されるように、黒画素に隣接する側の液晶分子Ｒvが、縦電界にしたがって傾斜しようとする他の液晶分子よりも時間的に先んじてリバースチルト状態となる。
先にリバースチルト状態となった液晶分子Ｒvは、縦電界に応じて破線のように基板水平方向に傾斜しようとする他の液晶分子の動きに悪影響を与える。このため、白に変化すべき画素においてリバースチルトが発生する領域は、図８（ｃ）に示されるように、白に変化すべき画素と黒画素との間隙にとどまらず、その間隙から白に変化すべき画素を浸食する形で広範囲に拡がる。
このように、図８から、白に変化しようとする着目画素の周辺が黒画素であった場合、当該着目画素に対して黒画素が右上側、右側および上側で隣接するとき、当該着目画素では、リバースチルトが右辺および上辺に沿った内周領域にて発生する、ということができる。
なお、図８（ａ）に示されるパターンの変化は、図７（ａ）に示した例のみならず、黒画素からなるパターンが、図７（ｂ）に示されるように右方向にフレーム毎に１画素ずつ移動する場合や、図７（ｃ）に示されるように上方向にフレーム毎に１画素ずつ移動する場合などでも発生する。また、図２８の説明において見方を変えた場合のように、黒画素からなる領域を背景として白画素からなるパターンがフレーム毎に右上方向、右方向または上方向に、１画素ずつ移動する場合にも発生する。
【００２３】
次に、液晶パネル１００において、図９（ａ）に示されるように、白画素からなる領域を背景として黒画素からなるパターンが左下方向にフレーム毎に１画素ずつ移動する場合に、破線で囲まれた２×２の４画素に着目する。
すなわち、図１０（ａ）に示されるように、（ｎ−１）フレームにおいて２×２の４画素がすべて黒画素の状態から、ｎフレームにおいて、右上の１画素だけが白画素に変化するときを想定する。
この変化後においても、黒画素の画素電極１１８（Ｂk）と白画素の画素電極１１８（Ｗt）との間隙では、画素電極１１８（Ｗt）とコモン電極１０８との間隙の縦電界よりも強い横電界が発生する。この横電界によって、図１０（ｂ）に示されるように、黒画素において白画素に隣接する側の液晶分子Ｒvは、縦電界にしたがって傾斜しようとする他の液晶分子よりも時間的に先んじて配向が変化して、リバースチルト状態となる。しかし、黒画素では縦電界が（ｎ−１）フレームから変化しないので、他の液晶分子に影響をほとんど与えない。このため、黒画素から変化しない画素においてリバースチルトが発生する領域は、図１０（ｃ）に示されるように、図８（ｃ）の例と比較して無視できる程度に狭い。
一方、２×２の４画素のうち、右上において黒から白に変化する画素では、液晶分子の初期配向方向が横電界の影響を受けにくい方向であるので、縦電界が加わっても、リバースチルト状態となる液晶分子がほとんど存在しない。このため、右上画素では、縦電界の強度が大きくなるにつれて、液晶分子が基板面の水平方向に図１０（ｂ）において破線で示されるように正しく傾斜する結果、目的である白画素に変化するので、表示品位の劣化が発生しないことになる。
なお、図１０（ａ）に示されるパターンの変化は、図９（ａ）に示した例のみならず、黒画素からなるパターンが、図９（ｂ）に示されるように左方向にフレーム毎に１画素ずつ移動する場合や、図９（ｃ）に示されるように下方向にフレーム毎に１画素ずつ移動する場合などでも発生する。また、図２８の説明において見方を変えた場合のように、黒画素からなる領域を背景として白画素からなるパターンがフレーム毎に左下方向、左方向または下方向に、１画素ずつ移動する場合にも発生する。
【００２４】
図６から図１０までの説明から、想定しているＶＡ方式（ノーマリーブラックモード）の液晶において、あるｎフレームに着目したとき、次のような要件を満たす場合に、ｎフレームにおいて次の画素でリバースチルトドメインの影響を受ける、ということができる。すなわち、
（１）ｎフレームに着目したときに暗画素と明画素とが隣接して、すなわち、印加電圧が低い状態の画素と印加電圧が高い状態の画素とが隣接して、横電界が強くなる場合であって、かつ、
（２）ｎフレームにおいて、当該明画素（印加電圧高）が、隣接する暗画素（印加電圧低）に対して、液晶分子におけるチルト方位の上流側に相当する左下側、左側または下側に位置する場合に、
（３）ｎフレームにおいて当該明画素に変化する画素が、１フレーム前の（ｎ−１）フレームでは、液晶分子が不安定な状態にあったとき、
ｎフレームにおいて当該明画素でリバースチルトが発生する、ということになる。
逆にいえば、ｎフレームにおいて要件（１）および要件（２）の位置関係を満たす明画素でリバースチルトドメインが発生するため条件とは、要件（３）の、ｎフレームにおいて当該明画素に変化する画素が、１フレーム前の（ｎ−１）フレームでは、液晶分子が不安定な状態にあった、ということになる。
ところで、図７では、２×２の４画素が（ｎ−１）フレームで黒画素であって、次のｎフレームで左下だけが白画素となったときを例示した。しかし、一般的には、（ｎ−１）フレームおよびｎフレームのみならず、これらフレームを含む前後の複数フレームにわたって同様な動きを伴うのが通例である。このため、図７（ａ）〜（ｃ）に示されるように、（ｎ−１）フレームで液晶分子が不安定な状態であった暗画素（白丸点が付された画素）では、画像パターンの動きから、その左下側、左側または下側に明画素が隣接している場合が多いと考えられる。
【００２５】
このため、事前に（ｎ−１）フレームにおいて、映像信号Ｖid-inで示される画像において暗画素と明画素とが隣接し、且つ、当該暗画素が、当該明画素に対して右上側、右側または上側に位置する場合、当該暗画素に相当する液晶素子に対し、液晶分子が不安定な状態とならないような電圧を印加すれば、画像パターンの動きによりｎフレームにおいて要件（１）および要件（２）を満たすことなっても、要件（３）を満たすことはないので、ｎフレームにおいてリバースチルトドメインは発生しない、ということになる。
これを前提として、ｎフレームから（ｎ＋１）フレームにかけて考察する。ｎフレームにおいて、映像信号Ｖid-inで示される画像において暗画素と明画素とが隣接する場合であって、当該暗画素が、当該明画素に対して右上側、右側または上側に位置する場合は、当該暗画素に相当する液晶素子の液晶分子が不安定な状態にならないような措置を施してやれば、画像パターンが１画素分移動した結果、（ｎ＋１）フレームにおいて要件（１）および要件（２）を満たすことなっても、要件（３）を満たすことはない。このため、ｎフレームからみて、将来となる（ｎ＋１）フレームにおいてリバースチルトドメインの発生を未然に抑えることができる、ということになる。
【００２６】
次に、ｎフレームにおいて、映像信号Ｖid-inで示される画像において暗画素と明画素とが隣接する場合であって、当該暗画素が当該明画素に対して上記位置関係にある場合に、当該暗画素において液晶分子が不安定な状態にならないようにするには、どうすれば良いのか、という点について検討する。上述したように、液晶分子が不安定な状態にあるときとは、液晶素子の印加電圧がＶcを下回るときである。このため、上記位置関係を満たす暗画素につき、映像信号Ｖid-inで指定される液晶素子の印加電圧がＶcを下回るのであれば、これを強制的に、Ｖc以上の電圧に置換して印加すれば良いことになる。
では、置換する電圧としては、どのような値が好ましいのか、という点を検討する。映像信号Ｖid-inで指定される印加電圧がＶcを下回る場合に、Ｖc以上の電圧に置換して液晶素子に印加したとき、液晶分子をより安定な状態にさせる、または、リバースチルトドメインの発生をより確実に抑える、という点を優先すれば、高い電圧である方が好ましい。しかしながら、ノーマリーブラックモードでは、液晶素子の印加電圧を高くするにつれて、透過率が高くなる。もともとの映像信号Ｖid-inで指定される階調レベルは、暗画素すなわち低い方の透過率であるため、置換電圧を高くすることは、映像信号Ｖid-inに基づかない画像が表示されることにつながる。
一方、Ｖc以上に置換した電圧を液晶素子に印加したときに、その置換による透過率の変化が知覚されないようにする、という点を優先すれば、下限である電圧Ｖcが好ましい、ということになる。
このように置換電圧として、どのような値とすべきかについては、何を優先させるのかによって決定すべきである。本実施形態では、置換による透過率の変化が知覚されないようにする、という点を優先して、置換電圧として電圧Ｖcを採用することにするが、上述した点を優先させるのであれば、電圧Ｖcである必要はない。
なお、ＶＡ方式における液晶分子は、液晶素子の印加電圧がゼロのときに基板面に対して垂直方向に最も近い状態になるが、電圧Ｖcは、液晶分子に初期傾斜角を与える程度の電圧であり、この電圧の印加から液晶分子が傾斜し始める。
液晶分子が安定状態となる電圧Ｖcは、一般的には、液晶パネルにおける様々なパラメータが絡んで一概には決まらない。ただし、本実施形態のように、画素電極１１８とコモン電極１０８との間隙（セルギャップ）よりも、画素電極１１８同士の間隙が狭い、という液晶パネルにあっては、おおよそ１．５ボルトとなる。
したがって、置換電圧としては、１．５ボルトが下限となるので、この電圧以上であれば良い、ということになる。逆にいえば、液晶素子の印加電圧が１．５ボルトを下回るのであれば、液晶分子が不安定な状態となる。
【００２７】
このような考えに基づいて、ｎフレームの映像信号Ｖid-inを処理して、液晶パネル１００でリバースチルトドメインの発生を未然に防ぐための回路が、図１における映像処理回路３０である。そこで次に、映像処理回路３０について詳細に説明する。
【００２８】
図３は、映像処理回路３０の構成を示すブロック図である。この図に示されるように、映像処理回路３０は、境界検出部３０２、遅延回路３１２、置換部３１４およびＤ／Ａ変換器３１６を有する。
このうち、遅延回路３１２は、上位装置から供給される映像信号Ｖid-inを蓄積して、所定時間経過後に読み出し、映像信号Ｖid-dとして出力するものであり、ＦＩＦＯ（Fast In Fast Out：先入れ先出し）メモリーや多段のラッチ回路などにより構成される。なお、遅延回路３１２における蓄積および読出は、走査制御回路２０によって制御される。
【００２９】
境界検出部３０２は、本実施形態においては、第１検出部３２１と、第２検出部３２２と、判別部３２４とを有する。
このうち、第１検出部３２１は、映像信号Ｖid-inで示される画像を解析して、階調範囲ａにある画素と階調範囲ｂにある画素とが垂直または水平方向で隣接する部分があるか否かを判別する。そして、第１検出部は、隣接する部分があると判別したときに、その隣接部分を境界として検出して、境界の位置情報を出力する。
なお、ここでいう境界とは、あくまでも階調範囲ａにある暗画素と階調範囲ｂにある明画素とが隣接する部分、すなわち、強い横電界が発生する部分をいう。このため、例えば階調範囲ａにある画素と、階調範囲ａでもなく階調範囲ｂでもない別の階調範囲ｄ（図４（ａ）参照）にある画素とが隣接する部分や、階調範囲ｂにある画素と階調範囲ｄにある画素とが隣接する部分については、境界として扱わない。
次に、第２検出部３２２は、検出された境界のうち、暗画素が上側に位置し明画素が下側に位置する部分と、暗画素が右側に位置し明画素が左側に位置する部分とを抽出して、リスク境界として検出し、リスク境界の位置情報を出力するものである。
【００３０】
判別部３２４は、遅延して出力された映像信号Ｖid-dで示される画素が第２検出部３２２で抽出されたリスク境界に接している暗画素であるか否かを判別する。そして、判別部３２４は、その判別結果が「Ｙｅｓ」である場合に出力信号のフラグＱを例えば“１”とし、その判別結果が「Ｎｏ」であれば“０”とする。
なお、ここでいう「リスク境界に接している」とは、画素の一辺に沿ってリスク境界に接している場合と、画素の一角において縦横に連続するリスク境界が位置している場合とを含む。また、第１検出部３２１は、ある程度（少なくとも３行以上）の映像信号を蓄積してからでないと、表示すべき画像における垂直または水平方向にわたって境界を検出することができない。第２検出部３２２についても同様である。このため、上位装置からの映像信号Ｖid-inの供給タイミングを調整する意味で、遅延回路３１２が設けられている。
上位装置から供給される映像信号Ｖid-inのタイミングと、遅延回路３１２から供給される映像信号Ｖid-dのタイミングとは異なるので、厳密にいえば、両者の水平走査期間等については一致しないことになるが、以降については特に区別しないで説明する。
また、第１検出部３２１および第２検出部３２２における映像信号Ｖid-inの蓄積等は、走査制御回路２０によって制御される。
【００３１】
置換部３１４は、判別部３２４から供給されるフラグＱが“１”である場合に、映像信号Ｖid-dで指定される階調レベルが「ｃ」よりも暗いレベルを指定していれば、階調レベル「ｃ」の映像信号に置換して、映像信号Ｖid-outとして出力するものである。
なお、置換部３１４は、判別部３２４から供給されるフラグＱが“１”である場合であっても、映像信号Ｖid-dで指定される階調レベルが「ｃ」以上の明るいレベルを指定しているとき、および、フラグＱが“０”であるときには、階調レベルを置換することなく、映像信号Ｖid-dをそのまま映像信号Ｖid-outとして出力する。
【００３２】
Ｄ／Ａ変換器３１６は、デジタルデータである映像信号Ｖid-outを、アナログのデータ信号Ｖxに変換する。なお上述したように、本実施形態では、面反転方式としているので、データ信号Ｖxの極性は、液晶パネル１００で１コマ分の書き替え毎に切り替えられる。
【００３３】
この映像処理回路３０によれば、映像信号Ｖid-dで示される画素がリスク境界に接している暗画素であれば、フラグＱが“１”になるとともに、その暗画素に指定される階調レベルが「ｃ」よりも暗いレベルであれば、当該映像信号Ｖid-dで示される暗画素の階調レベルは「ｃ」に置換された上で、映像信号Ｖid-outとして出力される。
一方、映像信号Ｖid-dで示される画素がリスク境界に接している暗画素でない場合、または、接している場合であっても、その階調レベルが「ｃ」以上の明るいレベルを指定している場合に、本実施形態ではフラグＱが“０”となるので、階調レベルが補正されることなく、映像信号Ｖid-dが、映像信号Ｖid-outとして出力される。
【００３４】
液晶表示装置１の表示動作について説明すると、上位装置からは、映像信号Ｖid-inが、フレームにわたって１行１列〜１行ｎ列、２行１列〜２行ｎ列、３行１列〜３行ｎ列、…、ｍ行１列〜ｍ行ｎ列の画素の順番で、供給される。映像処理回路３０は、映像信号Ｖid-inに対して上記置換等の処理を施して映像信号Ｖid-outとして出力する。
ここで、１行１列〜１行ｎ列の映像信号Ｖid-outが出力される水平有効走査期間（Ｈa）でみたときに、処理された映像信号Ｖidは、Ｄ／Ａ変換器３１６によって、図５（ｂ）で示されるように正極性または負極性のデータ信号Ｖxに、ここでは例えば正極性に変換される。このデータ信号Ｖxは、データ線駆動回路１４０によって１〜ｎ列目のデータ線１１４にデータ信号Ｘ1〜Ｘnとしてサンプリングされる。
一方、１行１列〜１行ｎ列の映像信号Ｖid-outが出力される水平走査期間では、走査制御回路２０が走査線駆動回路１３０に対し走査信号Ｙ1だけをＨレベルとなるように制御する。走査信号Ｙ1がＨレベルであれば、１行目のＴＦＴ１１６がオン状態になるので、データ線１１４にサンプリングされたデータ信号は、オン状態にあるＴＦＴ１１６を介して画素電極１１８に印加される。これにより、１行１列〜１行ｎ列の液晶素子には、それぞれ映像信号Ｖid-outで指定された階調レベルに応じた正極性電圧が書き込まれる。
続いて、２行１列〜２行ｎ列の映像信号Ｖid-inは、同様に映像処理回路３０によって処理されて、映像信号Ｖid-outとして出力されるとともに、Ｄ／Ａ変換器３１６によって正極性のデータ信号に変換された上で、データ線駆動回路１４０によって１〜ｎ列目のデータ線１１４にサンプリングされる。
２行１列〜２行ｎ列の映像信号Ｖid- outが出力される水平走査期間では、走査線駆動回路１３０によって走査信号Ｙ2だけがＨレベルとなるので、データ線１１４にサンプリングされたデータ信号は、オン状態にある２行目のＴＦＴ１１６を介して画素電極１１８に印加される。これにより、２行１列〜２行ｎ列の液晶素子には、それぞれ映像信号Ｖid-outで指定された階調レベルに応じた正極性電圧が書き込まれる。
以下同様な書込動作が３、４、…、ｍ行目に対して実行され、これにより、各液晶素子に、映像信号Ｖid-outで指定された階調レベルに応じた電圧が書き込まれて、原則として映像信号Ｖid-inで規定される透過像が作成されることなる。
次のフレームでは、データ信号の極性反転によって映像信号Ｖid-outが負極性のデータ信号に変換される以外、同様な書込動作が実行される。
【００３５】
図５（ｂ）は、映像処理回路３０から、水平走査期間（Ｈ）にわたって１行１列〜１行ｎ列の映像信号Ｖid-outが出力されたときのデータ信号Ｖxの一例を示す電圧波形図である。本実施形態では、ノーマリーブラックモードとしているので、データ信号Ｖxは、正極性であれば、基準電圧Ｖcntに対し、映像処理回路３０によって処理された階調レベルが高くなるにつれて（明るくなるにつれて）高位側の電圧（図において↑で示す）になり、負極性であれば、基準電圧Ｖcntに対し、階調レベルに応じた分だけ低位側の電圧（図において↓で示す）になる。
詳細には、データ信号Ｖxの電圧は、正極性であれば、白に相当する電圧Ｖw(+)から黒に相当する電圧Ｖb(+)までの範囲で、一方、負極性であれば、白に相当する電圧Ｖw(-)から黒に相当する電圧Ｖb(-)までの範囲で、それぞれ基準電圧Ｖcntから階調レベルに応じた分だけ偏位させた電圧となる。
電圧Ｖw(+)および電圧Ｖw(-)は、電圧Ｖcntを中心に互いに対称の関係にある。電圧Ｖb(+)およびＶb(-)についても電圧Ｖcntを中心に互いに対称の関係にある。
なお、図５（ｂ）は、データ信号Ｖxの電圧波形を示すものであって、液晶素子１２０に印加される電圧（画素電極１１８とコモン電極１０８との電位差）とは異なる。また、図５（ｂ）におけるデータ信号の電圧の縦スケールは、（ａ）における走査信号等の電圧波形と比較して拡大してある。
【００３６】
続いて実施形態に係る映像処理回路３０による処理の具体例について説明する。
映像信号Ｖid-inで示される画像（の一部）が例えば図１１（１）に示されるように、階調範囲ｂの白（明）画素を背景として、液晶分子が不安定状態にある黒（暗）画素からなる領域を表示する画像である場合、第１検出部３２１によって検出される境界は、図１１（２）に示される通りとなる。
次に、図１１（３）に示されるように、第２検出部３２２は、検出された境界のうち、暗画素が上側に位置し明画素が下側に位置する部分と、暗画素が右側に位置し明画素が左側に位置する部分とを抽出して、リスク境界とする。
置換部３１４は、抽出されたリスク境界に接する暗画素に対して階調レベル「ｃ」よりも暗いレベルが指定されていたときに、階調レベル「ｃ」の映像信号に置換する。なお、図１１（３）において、※１で示される黒画素は、左下の一角において縦横に連続するリスク境界が位置しているので、「リスク境界に接している」ということになり、置換部３１４において階調レベル「ｃ」よりも暗いレベルが指定されているか否かの判断対象となる。これは、※１で示される黒画素に対し、左下に位置する白表示画素ｈに相当するパターンが右斜め上方向に１画素移動したときに対処するためである。
これに対して、※２で示される黒画素は、その一角において縦または横のみに断裂したリスク境界が位置し、縦横で連続したリスク境界が位置していないので、置換部３１４において階調レベルの判断対象とはならない。
【００３７】
ここでいう黒画素は、すべて階調レベル「ｃ」よりも暗い画素であるから、図１１（１）で示される画像は、リスク境界に接している黒画素の階調レベルが置換部３１４によって階調レベル「ｃ」に置換されて、図１１（４）に示される通りとなる。
このため、映像信号Ｖid- inで示される画像が、図１２（ａ）に示されるように、黒画素からなる領域が右上方向、右方向または上方向のいずれかに１画素だけ移動することによって、黒画素から白画素に変化する部分が存在しても、液晶パネル１００では、図１２（ｂ）に示されるように、液晶分子が不安定な状態から白画素へと直接的に変化せず、一旦、階調レベル「ｃ」に相当する電圧Ｖcの印加によって強制的に液晶分子が安定した状態を経た後に、白画素に変化する。
【００３８】
したがって、本実施形態では、１フレーム分の画像全体ではなく、画素同士における境界およびリスク境界を検出するための処理だけで済むので、２フレーム分以上の画像を解析して動きを検出する構成と比較して、映像処理回路の大規模化や複雑化を抑えることが可能である。さらには、リバースチルトドメインが発生しやすい状態の領域が、黒画素の移動に伴って連続的となることを防止することが可能となる。
また、本実施形態では、映像信号Ｖid-inで規定される画像のうち、階調レベルが置換される画素は、明画素に接する暗画素であって、階調レベル「ｃ」よりも暗い階調レベルが指定された暗画素のうち、当該明画素に対してチルト方位の下流側に位置する画素のみである。このため、映像信号Ｖid-inに基づかない表示が発生する部分は、チルト方位角を考慮しないで、明画素に接する暗画素であって、階調レベル「ｃ」よりも暗い階調レベルが指定された暗画素のすべてを一律に置換する構成と比較して、少なく抑えることができる。
さらに、本実施形態では、設定値以上の映像信号を一律にクリップしもないので、使用しない電圧範囲を設けることによってコントラスト比に悪影響を与えることもない。
また、液晶パネル１００の構造に変更等を加える必要がないので、開口率の低下を招くこともないし、また、構造を工夫しないで既に製作された液晶パネルに適用することも可能である。
【００３９】
＜チルト方位角の他の例＞
上述した実施形態では、ＶＡ方式においてチルト方位角θbが４５度である場合を例にとって説明した。次に、チルト方位角θbが４５度以外の例について説明する。
まず、図１３（ａ）に示されるようにチルト方位角θbが２２５度である例について説明する。この例では、自画素および周辺画素において液晶分子が不安定な状態から自己画素だけ明画素に変化したとき、当該自己画素においてリバースチルトは、図１３（ｂ）に示されるように、左辺および下辺に沿った内周領域で発生する。なお、この例では、図８に示したチルト方位角θbが４５度である場合の例を１８０度回転させたときと等価である。
チルト方位角θbが２２５度である場合には、チルト方位角θbが４５度である場合にリバースチルトドメインが発生する要件（１）〜（３）のうち、として、要件（２）を次のように修正する。すなわち、
（２）ｎフレームにおいて、当該明画素（印加電圧高）が、隣接する暗画素（印加電圧低）に対して、液晶分子におけるチルト方位の上流側に相当する右上側、右側または上側に位置する場合に、
と修正する。なお、要件（１）および要件（３）についての変更はない。
したがって、チルト方位角θbが２２５度であれば、ｎフレームにおいて、暗画素と明画素とが隣接する場合であって、当該暗画素が、当該明画素に対して反対に左下側、左側または下側に位置する場合、当該暗画素に相当する液晶素子に対し、液晶分子が不安定な状態とならないような措置を施してやれば良い。
このためには、映像処理回路３０における第２検出部３２２が、第１検出部３２１によって検出された境界のうち、暗画素が下側に位置し明画素が上側に位置する部分と、暗画素が左側に位置し明画素が右側に位置する部分とを抽出して、リスク境界として検出する構成とすれば良い。
この構成によれば、チルト方位角θbが２２５度である場合、図１４に示されるように、映像信号Ｖid-inで規定される画像において黒画素からなる領域が左下方向、左方向または下方向のいずれかに１画素だけ移動することによって、黒画素から白画素に変化する部分が存在しても、液晶パネル１００では、液晶分子が不安定な状態から白画素へと直接的に変化せず、一旦、階調レベル「ｃ」に相当する電圧Ｖcの印加によって強制的に液晶分子が安定した状態を経た後に、白画素に変化するので、リバースチルトドメインの発生を抑えることが可能となる。
【００４０】
次に、図１５（ａ）に示されるようにチルト方位角θbが９０度である例について説明する。この例では、自画素および周辺画素において液晶分子が不安定な状態から自己画素だけ明画素に変化したとき、当該自己画素においてリバースチルトは、図１５（ｂ）に示されるように、右辺に沿った領域で集中的に発生する。このため、当該自己画素においてリバースチルトドメインは、右辺で発生した幅の分だけ、上辺の右辺寄りおよび下辺の右辺寄りにおいても発生する、という見方もできる。
このため、チルト方位角θbが９０度である場合には、チルト方位角θbが４５度である場合にリバースチルトドメインが発生する要件（１）〜（３）のうち、として、要件（２）を次のように修正する。すなわち、
（２）ｎフレームにおいて、当該明画素（印加電圧高）が、隣接する暗画素（印加電圧低）に対して、液晶分子におけるチルト方位の上流側に相当する左側のみならず、その左側で発生する領域の影響を受ける上側または下側に位置する場合に、
と修正する。なお、要件（１）および要件（３）についての変更はない。したがって、チルト方位角θbが９０度であれば、ｎフレームにおいて、暗画素と明画素とが隣接する場合であって、当該暗画素が、当該明画素に対して反対に右側、下側または上側に位置する場合、当該暗画素に相当する液晶素子に対し、液晶分子が不安定な状態とならないような措置を施してやれば良い。
このためには、映像処理回路３０における第２検出部３２２が、第１検出部３２１によって検出された境界のうち、暗画素が右側に位置し明画素が左側に位置する部分と、暗画素が上側に位置し明画素が下側に位置する部分と、暗画素が下側に位置し明画素が上側に位置する部分とを抽出して、リスク境界として検出する構成とすれば良い。
この構成によれば、チルト方位角θbが９０度である場合、図１６に示されるように、映像信号Ｖid-inで規定される画像において黒画素からなる領域が上方向、右上方向、右方向、右下方向または下方向のいずれかに１画素だけ移動することによって、黒画素から白画素に変化する部分が存在しても、液晶パネル１００では、液晶分子が不安定な状態から白画素へと直接的に変化せず、一旦、階調レベル「ｃ」に相当する電圧Ｖcの印加によって強制的に液晶分子が安定した状態を経た後に、白画素に変化するので、リバースチルトドメインの発生を抑えることが可能となる。
【００４１】
＜ＴＮ方式＞
上述した実施形態では、液晶１０５にＶＡ方式を用いた例について説明した。そこで次に、液晶１０５にＴＮ方式とした例について説明する。
図１７（ａ）は、液晶パネル１００における２×２の画素を示す図であり、図１７（ｂ）は、図１７（ａ）におけるｐ−ｑ線を含む垂直面で破断したときの簡易断面図である。
これらの図に示されるように、ＴＮ方式の液晶分子は、画素電極１１８とコモン電極１０８との電位差がゼロである状態において、チルト角がθaであって、チルト方位角がθb（＝４５度）で、初期配向しているものとする。ＴＮ方式は、ＶＡ方式とは反対に、基板水平方向に傾斜するので、ＴＮ方式のチルト角θaは、ＶＡ方式の値よりも大きい。
【００４２】
液晶１０５にＴＮ方式を用いた例では、高コントラスト比などが得られる等の理由により、電圧無印加時において液晶素子１２０が白状態となるノーマリーホワイトモードが用いられる場合が多い。
このため、液晶１０５にＴＮ方式を用いるとともに、ノーマリーホワイトモードとしたとき、液晶素子１２０の印加電圧と透過率との関係は、図４（ｂ）に示されるようなＶ−Ｔ特性で表され、印加電圧が高くなるにつれて透過率が減少する。ただし、液晶素子１２０の印加電圧が電圧Ｖcを下回るときに、液晶分子が不安定状態となる点においては、ノーマリーブラックモードと変わりはない。
【００４３】
このようなＴＮ方式のノーマリーホワイトモードにおいて、図１８（ａ）に示されるように、（ｎ−１）フレームにおいて２×２の４画素がすべて液晶分子の不安定な白画素の状態から、ｎフレームにおいて、右上の１画素だけが黒画素に変化するときを想定する。上述したようにノーマリーホワイトモードにおいて、画素電極１１８とコモン電極１０８との電位差は、ノーマリーブラックモードとは反対に白画素よりも黒画素で大きい。このため、白から黒に変化する右上の画素では、図１８（ｂ）のように、液晶分子が実線で示される状態から破線で示される状態に、電界方向に沿った方向（基板面の垂直方向）に起立しようとする。
しかしながら、白画素の画素電極１１８（Ｗt）と黒画素の画素電極１１８（Ｂk）との間隙で生じる電位差は、黒画素の画素電極１１８（Ｂk）とコモン電極１０８との間で生じる電位差と同程度である上に、画素電極同士の間隙が画素電極１１８とコモン電極１０８との間隙よりも狭い。よって、電界の強度で比較すると、画素電極１１８（Ｗt）と画素電極１１８（Ｂk）との間隙で生じる横電界は、画素電極１１８（Ｂk）とコモン電極１０８との間隙で生じる縦電界よりも強い。
右上の画素は、（ｎ−１）フレームにおいて液晶分子が不安定な状態の白画素であっため、液晶分子が縦電界の強度に応じて傾斜するまでに時間がかかる。一方、黒レベルの電圧が画素電極１１８（Ｂk）に印加されたことによる縦電界よりも、隣接する画素電極１１８（Ｗt）からの横電界の方が強いので、黒になろうとしている画素では、図１８（ｂ）に示されるように、白画素に隣接する側の液晶分子Ｒvが、縦電界にしたがって傾斜しようとする他の液晶分子よりも時間的に先んじてリバースチルト状態となる。
先にリバースチルト状態となった液晶分子Ｒvは、縦電界にしたがって破線のように基板水平方向に起立しようとする他の液晶分子の動きに悪影響を与える。このため、黒に変化すべき画素においてリバースチルトが発生する領域は、図１８（ｃ）に示されるように、黒に変化すべき画素と白画素との間隙にとどまらず、その間隙から黒に変化すべき画素を浸食する形で広範囲に拡がる。
したがって、図１８に示した内容から、黒に変化しようとする着目画素の周辺が白画素であった場合、当該着目画素に対して白画素が左下側、左側および下側で隣接するとき、当該着目画素では、リバースチルトが左辺および下辺に沿った内周領域にて発生することになる。
【００４４】
一方、図１９（ａ）に示されるように、（ｎ−１）フレームにおいて２×２の４画素がすべて液晶分子の不安定な白画素の状態から、ｎフレームにおいて、左下の１画素だけが黒画素に変化するときを想定する。この変化においても、黒画素の画素電極１１８（Ｂk）と白画素の画素電極１１８（Ｗt）との間隙では、画素電極１１８（Ｂk）とコモン電極１０８との間隙の縦電界よりも強い横電界が発生する。この横電界によって、図１９（ｂ）に示されるように、白画素において黒画素に隣接する側の液晶分子Ｒvは、縦電界にしたがって傾斜しようとする他の液晶分子よりも時間的に先んじて配向が変化して、リバースチルト状態となるが、白画素では縦電界の強度が（ｎ−１）フレームから変わらないので、他の液晶分子に影響をほとんど与えない。このため、白画素から変化しない画素においてリバースチルトが発生する領域は、図１９（ｃ）に示されるように、図１８（ｃ）のの例と比較して無視できる程度に狭い。
一方、２×２の４画素のうち、左下において白から黒に変化する画素では、液晶分子の初期配向方向が横電界の影響を受けにくい方向であるので、縦電界が加わっても、リバースチルト状態となる液晶分子がほとんど存在しない。このため、左下画素では、縦電界の強度が大きくなるにつれて、液晶分子が基板面の垂直方向に図１８（ｂ）において破線で示されるように正しく起立する結果、目的である黒画素に変化するので、表示品位の劣化が発生しないことになる。
【００４５】
このため、ＴＮ方式においてチルト方位角θbが４５度であるノーマリーホワイトモードの場合、要件（１）をそのままに、
（２）ｎフレームにおいて、当該暗画素（印加電圧高）が、隣接する明画素（印加電圧低）に対して右上側、右側または上側に位置する場合に、
（３）ｎフレームにおいて当該暗画素に変化する画素は、１フレーム前の（ｎ−１）フレームでは、液晶分子が不安定な状態にあったとき
ｎフレームにおいて当該暗画素でリバースチルトが発生する、ということになる。
したがって、この発生状態を、（ｎ＋１）フレームを基準として考え直した場合、画像の動きによって、（ｎ＋１）フレームにおいて暗画素が上記位置関係を満たすことになっても、変化前のｎフレームにおいて、当該画素の液晶分子が不安定な状態にならないような措置を施してやれば良い、ということになる。
ノーマリーホワイトモードでは、ノーマリーブラックモードとは反対に、階調レベルが高い（明るい）ほど、液晶素子の印加電圧が低くなる点を考慮すれば、映像処理回路３０の構成を、次のように変更すれば良いことになる。
すなわち、ｎフレームにおいて、映像処理回路３０における第２検出部３２２が、第１検出部３２１によって検出された境界のうち、暗画素が下側に位置し明画素が上側に位置する部分と、暗画素が左側に位置し明画素が右側に位置する部分と、を抽出して、リスク境界として検出するとともに、置換部３１４が、判別部３２４から供給されるフラグＱが“１”である場合に、映像信号Ｖid-dで指定される階調レベルが「ｃ」よりも明るいレベルを指定していれば、階調レベル「ｃ」の映像信号に置換して、映像信号Ｖid-outとして出力する構成であれば良い。
なお、この例では、ＴＮ方式においてチルト方位角θbを４５度とした例を説明したが、リバースチルトドメインの発生方向がＶＡ方式と逆になる点を考慮すれば、チルト方位角θbが４５度以外の角度である場合の措置、そのための構成についても、いままでの説明から容易に類推できるはずである。
【００４６】
＜パターンの移動方向＞
実施形態では、暗画素と明画素とが垂直または水平方向で隣接する部分を境界として検出したが、この理由は、画像パターンの移動方向がいずれにも対処するためである。
一方、ワードプロセッサーや、テキストエディターなどの表示画面において、カーソルのような移動を考えると、画像パターンの移動方向として、水平（Ｘ）方向のみを想定すれば十分である場合がある。
また、映像信号Ｖid-inは、１行１列〜１行ｎ列、２行１列〜２行ｎ列、３行１列〜３行ｎ列、…、ｍ行１列〜ｍ行ｎ列の画素の順番で供給されるので、移動方向として水平方向のみを想定すれば、互いにＸ方向に隣接する２画素（すなわち、連続して供給される２画素）の階調レベル同士を比較するだけで足りる。
【００４７】
詳細には、第１検出部３２１については、図２０に示されるように、上位装置から供給される映像信号Ｖid-inを１画素分だけ遅延させて映像信号Ｄ1として出力する遅延回路３３１と、映像信号Ｖid-inと映像信号Ｄ1とを入力する判別部３３２と、によって構成することができる。このうち、判別部３３２は、
（Ａ）映像信号Ｖid-inの階調レベルが階調範囲ａにあり、かつ、映像信号Ｄ1の階調レベルが階調範囲ｂにある場合、または、その反対に、
（Ｂ）映像信号Ｖid -inの階調レベルが階調範囲ｂにあり、かつ、映像信号Ｄ1の階調レベルが階調範囲ａにある場合、
を境界として検出する構成で済むので、 映像信号Ｖid-inを３行以上蓄積する必要がなくなる。
なお、検出した境界のうち、暗画素および明画素が所定の位置関係となるものが、第２検出部３２２によってリスク境界として検出されるのは、実施形態と同様である。
【００４８】
画像パターンの移動方向として水平方向のみを想定する場合に、例えばＶＡ方式であってチルト方位角θbを４５度とするとき、第１検出部３２１は、階調範囲ａにある画素と階調範囲ｂにある画素とが垂直方向で隣接する部分のみを境界として検出すれば良い。この場合、第１検出部３２１は、水平方向で隣接する部分について境界として扱わない。
このような構成において、例えば映像信号Ｖid-inで示される画像が図２１（１）に示されるような場合、第１検出部３２１によって検出される境界は、図２１（２）で示されるように、階調範囲ａにある黒画素と階調範囲ｂにある白画素とが垂直方向で隣接する部分のみとなる。
このため、第２検出部３２２によって抽出されるリスク境界は、図２１（３）で示されるように、白画素が左側に位置し黒画素が右側に位置する部分のみとなる。
ここでいう黒画素は、すべて階調レベル「ｃ」よりも暗い画素であるので、リスク境界に接している黒画素の階調レベルは、すべて図２１（４）で示されるように、置換部３１４によって階調レベル「ｃ」に置換される。
【００４９】
このように画像パターンの動き方向として水平方向のみを想定すれば、第１検出部３２１は、連続して供給される２画素分の階調データを比較する構成で済むので、垂直方向や斜め方向についても想定する構成と比較して、構成の簡易化を図ることが可能となる。
なお、ここではＶＡ方式であってチルト方位角θbを４５度とした場合を例にとって説明したが、ＶＡ方式であってチルト方位角θbを２２５度とした場合については、図２２に示される通りとなる。
【００５０】
＜置換対象とする画素数＞
実施形態では、リスク境界に接する画素の印加電圧Ｖcが下回るときに、当該画素の階調レベルを「ｃ」に置換することによって、液晶素子に電圧Ｖcを印加し、これにより、液晶分子が不安定な状態にならないような構成とした。すなわち、印加電圧の置換対象を、リスク境界に接する画素に限った構成とした。しかしながら、置換対象となる画素については、当該リスク境界に接する画素のみならず、リスク境界に接する画素に対して当該リスク境界とは反対方向に位置する１以上の画素についても置換対象としても良い場合がある。そこで次に、このような場合について説明する。
【００５１】
上述したように液晶分子が不安定な状態から、他の状態へと変化する場合、その応答に時間がかかりやすい。このため、電圧Ｖcを印加してから、１フレームに相当する１６．７ミリ秒経過した時点であっても、液晶分子が不安定な状態から脱しないケースもあり得る。
上述した実施形態は、あるフレームで表示された画像パターンが次のフレームにかけて１画素分移動して、次のフレームにおいて要件（１）および要件（２）を満たすことなったときでも、要件（３）を満たさないように、リスク境界に接する画素に印加電圧がＶcを下回るような階調レベルが指定されていれば、これを階調レベル「ｃ」に置換する構成であった。しかしながら、上記ケースに該当する場合、電圧Ｖcが印加された画素が、次のフレームにおいて要件（１）および要件（２）を満たすことになったときに、次のフレームでは、液晶分子が安定な状態に達していないので、リバースチルトドメインが発生してしまうことになる。
【００５２】
液晶パネル１００の表示画面が更新される時間間隔をＳ（ミリ秒）とし、また、液晶素子１２０において、印加電圧がＶcを下回る状態から、電圧Ｖcが印加されて当該電圧Ｖcに応じた配向状態になるまでの応答時間をＴ（ミリ秒）とする。
実施形態では、上述したように等倍速で駆動されるので、時間間隔Ｓは、フレームに等しい１６．７ミリ秒である。このため、Ｓ（＝１６．７）≧Ｔであれば、上述した実施形態のように置換候補は、リスク境界に接する１画素のみで足りる。
ただし、Ｓ＜Ｔ≦２Ｓであれば、電圧Ｖcを印加してから、１フレームに相当する１６．７ミリ秒経過した時点であっても、液晶分子が不安定な状態から脱していないことになる。従って、印加電圧の置換対象として、リスク境界に接する画素と、当該リスク境界に接する画素に対して当該リスク境界とは反対方向で隣接する画素との、計２画素とする。
このためには、例えばＶＡ方式においてチルト方位角θbが４５度である場合に、判別部３２４は、次のように判別すれば良い。すなわち、判別部３２４は、遅延して出力された映像信号Ｖid-dで示される画素が第２検出部３２２によって抽出されたリスク境界に接している画素である場合、または、当該リスク境界に接する画素に対して当該リスク境界とは反対方向に位置する画素である場合において、当該画素が暗画素であれば、フラグＱを“１”とし、そうでなければ“０”とすれば良い。
このように置換対象として２画素にすると、図２３（ａ）に示されるように、画像パターンが例えば１画素ずつ右方向に移動するときに、リスク境界の端部に位置する２つの黒画素、すなわち、印加電圧がＶcを下回るような階調レベルが指定された黒画素は、置換によって、図２３（ｂ）に示されるように液晶素子に電圧Ｖcが印加される期間が２フレームとなって倍化するので、液晶分子が安定な状態に十分に達することになる。
【００５３】
図２４、図２５および図２６は、いずれもＶＡ方式で置換対象を２画素とした場合の例であって、このうち、図２４は、チルト方位角θbを４５度とした例であり、図２５は、チルト方位角θbを９０度とした例であり、図２６は、チルト方位角θbを２２５度とし、かつ、画像パターンの動きとして水平方向のみを想定した例である。
置換部３１４は、抽出されたリスク境界に接する暗画素に対して階調レベル「ｃ」よりも暗いレベルが指定されていたときに、階調レベル「ｃ」の映像信号に置換する。
なお、図２４（３）において、※３で示される黒画素は、白表示画素ｈに相当するパターンが右斜め上方向に２画素移動したときに対処するため、例外的に、当該リスク境界に接する画素に対して当該リスク境界とは反対方向に位置する画素として扱っている。
【００５４】
また、２Ｓ＜Ｔ≦３Ｓであれば、印加電圧の置換対象として、リスク境界に接する画素と、当該リスク境界に接する画素を始点としたときに、当該リスク境界とは反対方向に向かって連続する２画素との計３画素とすればよい。
一般論として、印加電圧の置換対象とする画素数については、上記応答時間Ｔを時間間隔Ｓで割った値の整数部に「１」を加えた値（加算値）が好ましい、ということになる。
ただし、リスク境界に接する画素数は、応答時間Ｔにかかわらず、必ず「１」であるので、リスク境界に接する画素を除外するのが妥当である。このため、当該リスク境界とは反対方向に向かって連続する画素数（すなわち、置換対象の追加分）については、Ｓ＜Ｔである場合に、上記応答時間Ｔを時間間隔Ｓで割った値の整数部の値とすれば良いことになる。  
ここで、置換対象とする画素を多く設定すると、映像信号Ｖid-inで指定される階調レベルを不必要に置換してしまうことなる一方で、置換対象とする画素を少なく設定すると、液晶分子が不安定な状態が次の更新（書換）でも継続してしまう。
【００５５】
ところで近年では、２倍速、４倍速、…というように、液晶パネル１００の駆動がより高速化する傾向がある。一方、このような高速駆動であっても、上位装置からは供給される映像信号Ｖid-inは、等速駆動と同様にフレーム毎に１コマ分である。このため、ｎフレームと（ｎ＋１）フレームとの間では、動画表示視認特性を向上させる等のために、補間技術等によって両フレームの中間的な画像が生成されて、液晶パネル１００に表示させる場合がある。例えば２倍速駆動の場合、表示画面が更新される時間間隔は、半分の８．３５（ミリ秒）となる。このため、各フレームは第１フィールドと第２フィールドとの２つに分割されるとともに、第１フィールドでは、例えば自フレームの画像を表示させる更新がなされ、第２フィールドでは、当該自フレームの画像と後のフレームの画像とに相当する補間画像を表示させる更新がなされる。
したがって、高速駆動であっても、フレームを分割したフィールドにおいて、画像パターンが１画素分ずつ移動する場合があり得る。
映像信号Ｖid-inが１コマ分供給されるフレームの時間をＦ（ミリ秒）としたとき、これのＵ倍速（Ｕは整数）で液晶パネルを駆動するとき、１フィールドの時間は、ＦをＵで割った値となり、これが表示画面の更新される時間間隔Ｓとなる。
このため、例えば１フレームが１６．７ミリで供給される映像信号Ｖid-inに対して液晶パネル１００を２倍速で駆動するとき、表示画面が更新される時間間隔Ｓは、半分の８．３５ミリ秒となる。ここで、上記応答時間Ｔが仮に２４ミリ秒であったとすると、置換対象として好ましい画素数は、「２４」を「８．３５」で割った値が「２．８７４…」であるから、この値のうちの整数部「２」に「１」を加えた「３」ということになる。なお、リスク境界に接する画素を除外して考えると、当該リスク境界とは反対方向に向かって連続する画素数（追加分）については、上記整数部「２」ということになる。
【００５６】
上述した説明において、映像信号Ｖid-inは、画素の階調レベルを指定するものとしたが、液晶素子の印加電圧を直接的に指定するものとしても良い。映像信号Ｖid-inが液晶素子の印加電圧を指定する場合、指定される印加電圧によって境界を判別して、電圧を補正する構成とすれば良い。
また、液晶素子１２０は、透過型に限られず、反射型であっても良い。
【００５７】
＜電子機器＞
次に、上述した実施形態に係る液晶表示装置を用いた電子機器の一例として、液晶パネル１００をライトバルブとして用いた投射型表示装置（プロジェクター）について説明する。図２７は、このプロジェクターの構成を示す平面図である。
この図に示されるように、プロジェクター２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００５８】
このプロジェクター２１００では、液晶パネル１００を含む液晶表示装置が、Ｒ色、Ｇ色、Ｂ色のそれぞれに対応して３組設けられる。ライトバルブ１００Ｒ、１００Ｇおよび１００Ｂの構成は、上述した液晶パネル１００と同様である。Ｒ色、Ｇ色、Ｂ色のそれぞれの原色成分の階調レベルを指定するに映像信号がそれぞれ外部上位回路から供給されて、ライトバルブ１００Ｒ、１００Ｇおよび１００がそれぞれ駆動される構成となっている。ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各原色の画像が合成された後、スクリーン２１２０には、投射レンズ群２１１４によってカラー画像が投射されることとなる。
【００５９】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、水平方向の左右を反転させた像を表示する構成となっている。
【００６０】
電子機器としては、図２７を参照して説明したプロジェクターの他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、上記液晶表示装置が適用可能なのは言うまでもない。
【符号の説明】
【００６１】
１…液晶表示装置、３０…映像処理回路、１００…液晶パネル、１００ａ…素子基板、１００ｂ…対向基板、１０５…液晶、１０８…コモン電極、１１８…画素電極、１２０…液晶素子、３０２…境界検出部、３１４…置換、３１６…Ｄ／Ａ変換器、２１００…プロジェクター
【図１】
0005454092.tif 000002
【図２】
0005454092.tif 000003
【図３】
0005454092.tif 000004
【図４】
0005454092.tif 000005
【図５】
0005454092.tif 000006
【図６】
0005454092.tif 000007
【図７】
0005454092.tif 000008
【図８】
0005454092.tif 000009
【図９】
0005454092.tif 000010
【図１０】
0005454092.tif 000011
【図１１】
0005454092.tif 000012
【図１２】
0005454092.tif 000013
【図１３】
0005454092.tif 000014
【図１４】
0005454092.tif 000015
【図１５】
0005454092.tif 000016
【図１６】
0005454092.tif 000017
【図１７】
0005454092.tif 000018
【図１８】
0005454092.tif 000019
【図１９】
0005454092.tif 000020
【図２０】
0005454092.tif 000021
【図２１】
0005454092.tif 000022
【図２２】
0005454092.tif 000023
【図２３】
0005454092.tif 000024
【図２４】
0005454092.tif 000025
【図２５】
0005454092.tif 000026
【図２６】
0005454092.tif 000027
【図２７】
0005454092.tif 000028
【図２８】
0005454092.tif 000029